(57)【要約】  【課題】  ランドセル（ランドセル使用者）の現在位置を必要に応じて知ることができるランドセルを提供する。  【解決手段】  ランドセル１に位置情報送信機１００を設ける。位置情報送信機１００は、位置検出部１１０、通信部１２０、位置情報送信用スイッチ１３０などから構成される。位置情報送信用スイッチ１３０をオンすることで、位置検出部１１０が検出した現在位置を含む位置情報が送信部１２２から所定の通信センターに送信される。あるいは、通信センターからの位置情報送信要求信号を受信部１２３が受信することで、位置情報が送信部１２２から通信センターに送信される。  【選択図】  図１
0003106863.tif 000002
【実用新案登録請求の範囲】
【請求項１】
位置情報送信機（１００）が所定の部位に設けられたランドセル（１）であって、
前記位置情報送信機が、現在位置を検出して位置情報を出力する位置検出部（１１０）と、携帯電話用通信ネットワークを介して所定の通信センター（２００）に前記位置情報を送信する通信部（１２０）とを有してなることを特徴とするランドセル。
【請求項２】
前記位置検出部（１１０）が、ＧＰＳ信号を受信するＧＰＳアンテナ（１１１）と、前記ＧＰＳアンテナが受信したＧＰＳ信号に基づいて現在位置を検出し位置情報を作成するデータ処理部（１１２）とを有してなることを特徴とする請求項１記載のランドセル。
【請求項３】
前記位置情報送信機（１００）は、位置情報送信用スイッチ（１３０）をさらに有してなり、前記スイッチをオンにすることで前記位置情報が前記通信部（１２０）から送信されることを特徴とする請求項１または２記載のランドセル。
【請求項４】
前記位置情報送信機（１００）は、前記通信センター（２００）から前記携帯電話用通信ネットワークを介して送信される位置情報送信要求信号を受信する受信部（１２３）をさらに有してなり、
前記受信部（１２３）が前記位置情報送信要求信号を受信したときに前記通信部（１２０）から前記通信センター（２００）に前記位置情報を送信するように構成されることを特徴とする請求項１から３のいずれか１記載のランドセル。
【請求項５】
前記通信センター（２００）が受信した前記位置情報が、インターネットウェブ上の所定のホームページで閲覧可能に掲載されることを特徴とする請求項１から４のいずれか１記載のランドセル。
【考案の詳細な説明】
【技術分野】
【０００１】
本考案は、ランドセル（ランドセル使用者）の現在位置を容易に知ることができるランドセルに関する。
【背景技術】
【０００２】
例えば、特開２００３−３６４９２号公報には、徘徊癖がある人の徘徊予防あるいは子供やペットが迷子になるのを予防するためのシステムが開示されている。このシステムでは、徘徊癖がある人、子供、ペットなどの監視対象者（物）に特定周波数域の近距離無線信号を連続的に発信する信号発信手段を装備させ、この近距離無線信号を信号監視端末により常時監視すると共に、信号監視端末が無線信号を受信しなくなった場合にアラーム手段によりアラームを出力する構成としている。
【特許文献１】特開２００３−３６４９２号公報
【考案の開示】
【考案が解決しようとする課題】
【０００３】
しかしながら、前者の従来技術の場合、近距離無線信号を用いているので、使用可能な範囲が限定され、つまり近距離無線信号が届く狭い範囲に限られるという問題がある。また、この種の信号発生手段は通常は電池を電源とすることから、上記従来例のように信号を連続的に発信する構成とした場合には電池寿命が短くなり、電池交換を頻繁に行う必要がある。
【０００４】
そこで、本考案の課題は、上記のような問題がなく、またランドセル（ランドセル使用者、つまり児童）の現在位置を必要に応じて知ることができるランドセルを提供することを課題とするものである。
【課題を解決するための手段】
【０００５】
本考案のランドセルは、位置情報送信機１１０が所定の部位に設けられたランドセル１であって、前記位置情報送信機１１０が、現在位置を検出して位置情報を出力する位置検出部１１０と、携帯電話用通信ネットワークを介して所定の通信センター２００に前記位置情報を送信する通信部１２０とを有してなることを特徴とする。
【０００６】
好ましい実施形態では、位置検出部は、ＧＰＳ信号を受信するＧＰＳアンテナ１１１と、ＧＰＳアンテナが受信したＧＰＳ信号に基づいて現在位置を検出し位置情報を作成するデータ処理部１１２とを有して構成される。また、好ましくは、位置情報送信機１１０は、位置情報送信用スイッチ１３０をさらに有し、このスイッチ１３０をオンにすることで位置情報が通信部１２０から送信される構成としてある。さらに、位置情報送信機１１０に、通信センター２００から携帯電話用通信ネットワークを介して送信される位置情報送信要求信号２０１を受信する受信部１２３をさらに有し、該受信部が前記位置情報送信要求信号２０１を受信したときに通信部１２０から通信センター２００に位置情報を送信するように構成することもできる。
【０００７】
また、通信センター２００が受信した位置情報がインターネットウェブ上の所定のホームページに検索あるいは閲覧可能に掲載される構成とすることもできる。
【考案の効果】
【０００８】
本考案のランドセルでは、ランドセルに設けられた位置情報送信機１００から位置情報が通信センター２００に送信されることで、通信センター２００においてランドセル（ランドセル使用者）の現在位置が把握・確認される。また、位置情報送信機１００からの位置情報の送信は、該位置情報送信機にそのためのスイッチ１３０を設けた構成の場合はそのスイッチをオンにすることで、また通信センター２００から送信される位置情報送信要求信号２０１の受信部１２３を設けた構成の場合は、この信号を該受信部が受信することで、行われる。
【０００９】
ここで、位置情報送信機１００は携帯電話用通信ネットワークを介して位置情報を通信センター２００に送信する構成としたので、従来のようにその使用範囲が制限されることが実質的にない。また、通信部１２０からの位置情報の送信は、位置情報送信用スイッチ１３０をオンしたり、あるいは通信センター２００からの位置情報要求信号２０１を受信した際に行われることから、位置情報送信機１００における電力消費を必要最小限に抑えることができ、電池を電源として構成した場合でも電池寿命を比較的長くすることができる。
【考案を実施するための最良の形態】
【００１０】
以下に、本考案の実施形態を添付図面を用いて説明する。
図１は、ランドセル１の全体図を示したものである。このランドセル１は、背板２、この背板２に平行に設けられた前面板３、この背板２と前面板３の両側にそれぞれ設けられた襠面板４、および底側に設けられた底面板５などを有しており、これらによって上方開口式の主収納部６が形成されている。また前面板３の外面側には前段と称される上方開口式の副収納部７，８が形成されている。さらに、背板２の上端には被せ蓋９の基端部が連結されている。この被せ蓋９は主収納部６および副収納部７，８の上方を通って延在しており、またその自由端側の先端部は図示しない係止具によって底面板５に着脱可能に連結されている。また、背板２と副収納部８との間には、副収納部７，８の最大膨出量を調整するためのサイドベルト１０が設けられている。
【００１１】
さらに、図３（他の実施形態のランドセル）を参照して、背板２の中央上部には一対の背負バンド１２，１２の上端が取付金具１３で連結されている。背負バンド１２，１２の下端は図示しない連結具によって底面板５に連結されている。
【００１２】
また、図１に示した実施形態において、サイドベルト１０には、収納部１１が取付けられている。この収納部１１には、位置情報送信機１００が取り出し可能に収容されている。この位置情報送信機１００は、図２を参照して、位置検出部１１０、通信部１２０、位置情報送信用スイッチ１３０などから構成される。なお、電源部（通常は電池で構成される）などは公知の構成であるので省略した。また、位置情報送信用スイッチ１３０は、ボタン式スイッチやメンブレンスイッチなどの適宜な構造のスイッチで構成され、オンすることでオン信号が通信制御部１２１に出力される。
【００１３】
位置検出部１１０は、ＧＰＳ信号を受信するＧＰＳアンテナ１１１、ＧＰＳアンテナ１１１が受信したＧＰＳ信号から現在位置を検出して位置情報として出力するデータ処理部１１２などから構成される。位置検出部１１０において求められた位置情報は通信部１２０に送出される。ここで、ＧＰＳとは、ｇｌｏｂａｌ  ｐｏｓｉｔｉｏｎｉｎｇ  ｓｙｓｔｅｍの省略形で、全地球測位システムを意味する語である。
【００１４】
通信部１２０は、通信制御部１２１、送信部１２２、受信部１２３、アンテナ部１２４などから構成される。通信制御部１２１は、次の機能を有するものである。
（１）位置検出部１１０から受領した位置情報に現在時刻や識別情報などを付加して所定のフォーマットの通信データを作成する。
（２）位置情報送信用スイッチ１３０がオンされた場合、上記通信データを送信部１２２から送信するために必要な制御を行う。
（３）受信部１２３への位置情報送信要求信号２０１の入力を常時監視すると共に、この信号を受信部１２３において受信した場合には、上記通信データを送信部１２２から送信するために必要な制御を行う。
【００１５】
以上の構成からなる実施形態の位置情報送信機１００を備えたランドセル１の動作を、図３をさらに参照して説明する。例えば、ランドセル使用者である児童の家から学校まで通学する際、あるいは学校から家まで帰る際において、例えば児童が位置情報送信用スイッチ１３０をオンすることで、現在の位置情報を含む通信データ１０１が位置情報送信機１００から通信センター２００に送信される。通信センター２００は受信した通信データに基づいて当該児童の現在位置を例えば上記現在時刻と共に逐次記録する。ここで、位置情報送信機１００と通信センター２００との間の通信は、既存のいずれかの携帯電話用通信ネットワークを用いて行われる。
【００１６】
そして、関係者（例えば、児童の親族）４００からの電話や電子メールなどによる問い合わせがあった場合、当該児童の現在位置および現在時刻を連絡する。また、上記の現在位置と現在時刻は、例えば、インターネットウェブ上に設けられた通信センター２００が関連する所定のホームページ（ＨＰ）３００上で、関係者４００が閲覧できるように掲載される。これにより、関係者４００はこのホームページ３００にアクセスし例えば暗証を入力することで、児童の現在位置を確認することができる。
【００１７】
通信センター２００は、さらに、例えば上記のように現在位置が送信されていない場合において関係者４００からの問い合わせがあった場合には、位置情報送信機１００宛に位置情報送信要求信号２０１を送信する。位置情報送信機１００では、この信号を受信部１２３が受信すると、送信部１２２から位置情報を含む通信データ１０１が通信センター２００宛に送信され、この通信データ１０１は上記同様に利用される。
【００１８】
上記の実施形態では、位置情報送信機１００を１つの部品として構成したが、位置情報送信機１００を、位置検出部１１０と、通信部１２０および位置情報送信用スイッチ１３０とに分離し、それぞれ別の部品として構成しても良い。また、この分離した構成において、位置検出部１１０をランドセルの所定の部位に設け、また通信部１２０などをランドセル使用者が所持するようにしても良い。この場合、位置検出部１１０から通信部１２０に上記位置情報を送信（通信）するための、例えば公知の赤外線通信手段がこれらの間に設けられる。
【００１９】
また、上記のように別の部品とした構成例において、位置検出部１１０と通信部１２０などが所定の距離以上だけ離間した時にオンとなって警報を発生する警報発生手段を、位置検出部側または通信部側に設ける構成としても良い。このような警報発生手段としては、具体的には例えば、位置検出部１１０と通信部１２０との間で赤外線通信手段により上記のように通信を行う構成例において、位置検出部１１０側に設けた赤外線送信手段から通信部１２０側に設けた赤外線受信手段との間で所定の周期、例えば１秒毎に赤外線パルス信号を出力する構成とする。そして、通信部１２０が定められた周期で赤外線パルス信号を受信しない場合において、通信部１２０に設けた警報発生手段がオンになるように構成すれば良い。
【００２０】
上記の警報発生手段は、例えば、オンになった場合に通信部１２０から警報発生状態となったことを示す情報を通信センター２００に送信する手段で構成すれば良い。あるいは、音声によるアラームを出力する公知の手段でも良い。
【００２１】
または、警報発生手段を公知の防犯ブザーで構成すると共に、防犯ブザーの作動用ピンが位置検出部１１０と通信部１２０などが所定の距離以上だけ離間した時に引き抜かれてオンとなり、音声による警報を発生するようにしても良い。
【００２２】
さらに、位置情報送信機１００の他の実施形態として、オンとすることで位置情報送信機１００が動作状態となる電源スイッチを具備させる構成とすることもできる。この実施形態では、登校の際にはランドセル使用者である児童が学校に行く直前に、例えば親が電源をオンし、また児童が学校に着いた時に例えば学校の担任の教師が電源をオフとする。逆に下校の場合には例えば学校の担任の教師が電源をオンにし、児童の自宅に着いた場合には例えば親が電源をオフにする。これにより、位置情報送信機１００を必要な時間だけ動作させることができ、位置情報送信機１００に内蔵された電源（電池）の消耗が抑えられる。
【００２３】
位置情報送信機１００の上記の変形例として、オンとすることで位置情報送信機１００が動作状態となる電源スイッチと、電源スイッチがオンとなった時に所定時間経過後に電源スイッチをオフにするタイマーとを具備させる構成とすることもできる。この構成例では、タイマーの時間を登下校に要する時間、例えば３０分程度に設定すると共に、登校ないし下校の直前に親や担任教師などが電源スイッチをオンにし、また、学童がスイッチをオンにしたことを確認する。これにより、登下校時間の間だけ位置情報送信機１００をオンにすることができる。
【００２４】
また、位置情報送信機１００の別の実施形態として、振動センサと、振動センサが振動を検知している時にオンになって位置情報送信機１００を動作状態にする電源スイッチとを具備させる構成とすることもできる。この構成とすれば、登下校の際にランドセルを背負った児童の歩行している間はランドセルが振動するので、この振動を検知した振動センサによって位置情報送信機１００がオンになる。また、学校に着いた後、あるいは家に着いた後はランドセルは静置されるので、振動センサは動作せず、位置情報送信機１００がオンになることはない。
【００２５】
図４は、本考案の他の実施形態のランドセルを示したものである。この例では、ランドセル１の一方の背負バンド１２に収納部１１が取付けられており、この収納部１１内に位置情報送信機１００が取り出し可能に収容されている。
【図面の簡単な説明】
【００２６】
【図１】本考案のランドセルの実施形態を示した斜視図である。
【図２】図１の実施形態に使用する位置情報送信機の構成を示したブロック図である。
【図３】図１の実施形態の位置情報送信機の使用状態の説明図である。
【図４】本考案のランドセルの他の実施形態を示した説明図である。
【符号の説明】
【００２７】
１      ランドセル
１１    収納部
１００  位置情報送信機
１１０  位置検出部
１２０  通信部
２００  通信センター
【図１】
0003106863.tif 000003
【図２】
0003106863.tif 000004
【図３】
0003106863.tif 000005
【図４】
0003106863.tif 000006